【手続補正書】
【提出日】平成16年10月20日(2004.10.20)
【手続補正１】
【補正対象書類名】明細書
【補正対象項目名】全文
【補正方法】変更
【補正の内容】
【書類名】明細書
【発明の名称】パンツ型使い捨て紙おむつ
【特許請求の範囲】
【請求項１】本体バックシートと、半剛性の吸収体を含む紙おむつ本体とを有し、製品状態で前記本体バックシートの前身頃と後身頃とがその側部においてそれぞれ一体化されたパンツ型使い捨て紙おむつであって、
前記前身頃および後身頃のうち少なくとも一方の身頃において、前記本体バックシートに対して横方向に沿って１本または複数本の締め付け用弾性伸縮部材を一体的に設け、
その締め付け用弾性伸縮部材の少なくとも１本は、前記紙おむつ本体と一体化されていない、
ことを特徴とするパンツ型使い捨て紙おむつ。
【請求項２】前記紙おむつ本体は、長手方向両端部とこれと離間する股下部において、ホットメルト接着剤により前記本体バックシートに固定され、
前記紙おむつ本体と一体化されていない前記締め付け用弾性伸縮部材の少なくとも１本が、前記離間部に位置する請求項１記載のパンツ型使い捨て紙おむつ。
【請求項３】前記紙おむつ本体と一体化されていない前記締め付け用弾性伸縮部材の少なくとも１本が前身頃にあり、その少なくとも１本が、中央部が股下側に膨らむ形状で前記本体バックシートと一体化されている請求項１記載のパンツ型使い捨て紙おむつ。
【発明の詳細な説明】
【０００１】
【発明の属する技術分野】
本発明は、パンツ型使い捨て紙おむつに係り、特に、幼児または小児などの着用者の体形にフィットし、腰部開口面からの尿漏れ、便漏れを防止するパンツ型の使い捨て紙おむつに関する。
【０００２】
【従来の技術】
従来より、本体バックシートと紙おむつ本体との間に少なくとも脚回り部分に前記各シートにより構成されるフラップ部分を残して吸収体が内包され、使用に際しては前身頃に対して後身頃に固定された止着テープを止着することにより、着用者の股間部分を包むようにした紙おむつが汎用されている。
【０００３】
ところが、おむつ離れを促進するなどの目的で、あるいはその都度止着テープを用いての装着作業から大人を解放し、装着を簡便化するなどの目的をもって、近年、いわゆるパンツタイプの紙おむつが開発されている。さらに、着用者である幼児や小児の体形は、一般に、成人より腹部および尻部が突出し丸みを帯びており、肌が敏感であるので、紙おむつ自体のずり落ちを防止できる範囲内で腹部の圧迫を可能な限り避けるべきであるとの観点から、着用者の腹部に対する過度の圧迫力の作用を防止するパンツタイプの紙おむつについて、種々の提案がなされている。
【０００４】
たとえば、本発明者は図８に示されるような紙おむつを特願平８−２９１４７２号において提案した。この紙おむつでは、透液性トップシートと、ポリエチレン等からなる不透液性バックシートと、これらの間に介在された上吸収体主体１３Ａおよび下吸収体主体１３Ｂとからなる吸収体主体１３とを有する紙おむつ本体１０と、裏面バックシート２２と表面バックシート２１とを有する本体バックシート２０とを有し、さらに各要所に弾性伸縮性を付与し、尿や軟便漏れを防止するために、種々の弾性伸縮部材を本体バックシート２０に一体化させたものである。
【０００５】
この態様においては、紙おむつ本体１０の不透液性バックシートがほぼ全面においてホットメルト接着剤Ｈにより本体バックシート２０の表面バックシート２１に対して固定されている。さらに、これを前後方向に折り畳み（ラインＬを中心として折り畳み）、かつ折り畳んだ両側縁部分を超音波溶接法等で固定することにより、パンツタイプの紙おむつとされるものである。
【０００６】
この場合、前述の弾性伸縮部材として、たとえば、紙おむつの開口部を封止する腰回り弾性伸縮部材、それぞれ腹部および背側に対して当たりずり落ちを防止する腹部弾性伸縮部材および背側弾性伸縮部材、ならびに脚回りを封止する脚回り第１弾性伸縮部材および脚回り第２弾性伸縮部材が設けられる。
【０００７】
他方、近年のパンツタイプの紙おむつにおいては、腹部および背側に対して当たりずり落ちを防止する腹部弾性伸縮部材および背側弾性伸縮部材を設ける傾向にある。
【０００８】
【発明が解決しようとする課題】
しかるに、特願平８−２９１４７２号発明や、近年の腹部弾性伸縮部材および背側弾性伸縮部材を設けたパンツタイプの紙おむつでは、吸収体要素が透液性トップシートおよび不透液性バックシートに対して一体化された構造の下で、腹部弾性伸縮部材および背側弾性伸縮部材が不透液性バックシートに対してホットメルト接着剤などにより一体化されている。
【０００９】
しかし、吸収体または吸収体要素は、半剛性を示す。したがって、前記の腹部弾性伸縮部材および背側弾性伸縮部材が不透液性バックシートに対して固定された構造では、前記の腹部弾性伸縮部材および背側弾性伸縮部材の伸縮性が、半剛性の吸収体または吸収体要素に規制され、十分な伸縮性を示さず、もって、着用者へのフィット性が十分でなく、特に腰部開口面からの尿漏れ、便漏れの危険性を孕むものである。
【００１０】
したがって、本発明の主たる課題は、パンツタイプの紙おむつにおいて、着用者へのフィット性が改良されたものを提供することにある。
【００１１】
【課題を解決するための手段】
上記課題を解決した請求項１記載の発明は、本体バックシートと、半剛性の吸収体を含む紙おむつ本体とを有し、製品状態で前記本体バックシートの前身頃と後身頃とがその側部においてそれぞれ一体化されたパンツ型使い捨て紙おむつであって、
前記前身頃および後身頃のうち少なくとも一方の身頃において、前記本体バックシートに対して横方向に沿って１本または複数本の締め付け用弾性伸縮部材を一体的に設け、
その締め付け用弾性伸縮部材の少なくとも１本は、前記紙おむつ本体と一体化されていない、
ことを特徴とするパンツ型使い捨て紙おむつである。
【００１２】
請求項２記載の発明は、前記紙おむつ本体は、長手方向両端部とこれと離間する股下部において、ホットメルト接着剤により前記本体バックシートに固定され、前記紙おむつ本体と一体化されていない前記締め付け用弾性伸縮部材の少なくとも１本が、前記離間部に位置する請求項１記載のパンツ型使い捨て紙おむつである。
【００１３】
請求項３記載の発明は、前記紙おむつ本体と一体化されていない前記締め付け用弾性伸縮部材の少なくとも１本が前身頃にあり、その少なくとも１本が、中央部が股下側に膨らむ形状で前記本体バックシートと一体化されている請求項１記載のパンツ型使い捨て紙おむつである。
【００１４】
【発明の実施の形態】
以下、本発明の実施の形態を図面により具体的に説明する。
図１〜図４および図６は、本発明に係るパンツタイプの紙おむつの第１の構造例を示したものである。この紙おむつは、図３および図４に構造が明示されているように、不織布などからなる透液性トップシート１１とポリエチレンシートなどからなる不透液性バックシート１２とにより、綿状パルプなどからなる吸収体主体１３を含む構造の紙おむつ本体１０が、本体バックシート２０に設けられている。
【００１５】
実施例における吸収体主体１３は、広い面積の砂時計形の上吸収体主体１３Ａと若干狭い面積の長方形の下吸収体主体１３Ｂとを含み、これらがティシュペーパー１３Ｃ，１３Ｄで包まれ、図示しないが適宜の位置に高分子吸収ポリマーを含有し、全体として寸法が変化しないが変形が可能な半剛性を示す。
【００１６】
逆に、この吸収体主体１３上に対して、透液性トップシート１１がほぼ全面においてホットメルト接着剤Ｈ（他の各部位への接着のために用いるホットメルト接着剤についても同一の符号Ｈで図示する）により固定され、吸収体主体１３下に対して、不透液性バックシート１２がホットメルト接着剤Ｈにより固定され、紙おむつ本体１０を構成している。
【００１７】
さらに、前記の構成要素からなる紙おむつ本体１０に対して、広い面積の弾性伸縮性を示す本体バックシート２０が別途設けられている。本体バックシート２０は、フラップ部を形成すべく吸収要素より外形が大きく、全体として疑似砂時計形状をなしており、裏面バックシート２２に対して、表面バックシート２１をホットメルト接着剤Ｈによって貼り合わせたものである。
【００１８】
製品の両側にはサイドバリヤーカフス３０，３０が設けられている。これらのバリヤーカフス３０，３０は好ましくは不透液性または撥水性を示すシートを構成要素とする。
【００１９】
サイドバリヤーカフス３０は、その構成シートの一側部が表面バックシート２１と不透液性バックシート１２との間に介在され、それらにホットメルト接着剤Ｈによりそれぞれ固定され、外側縁部においてティシュペーパー１３Ｄの側縁を包みながら製品の表面側に折り返され、折り返し部分が製品の中央線側に延在し、その延在部分の一部が内側縁部を構成して内側に折り返され、さらに、構成シートの前記内側縁部において第１起立用弾性伸縮部材３１が、また、前記外側縁部において第２起立用弾性伸縮部材３２が、ホットメルト接着剤（符号で図示せず）により構成シートに固定され、これらの第１起立用弾性伸縮部材３１と第２起立用弾性伸縮部材３２との中間がホットメルト接着剤Ｈにより透液性トップシート１１の側縁部に固定されている。
【００２０】
サイドバリヤーカフス３０を構成する構成シートの前記内側縁部近傍の製品の前後端部は、透液性トップシート１１に対して図示しないホットメルト接着剤により固定されている。
【００２１】
その結果、図３の右方において仮想線で図示するように、第１起立用弾性伸縮部材３１の前後端部は紙おむつ本体１０に拘束される結果、製品の使用状態において、その中間部のみが自由端部となり、第１起立用弾性伸縮部材３１の収縮力に伴って製品の内側に向かって起立し、第１バリヤーカフス部Ｂ１を構成する。これに対して、サイドバリヤーカフス３０を構成するシートの前記外側縁部の前後端部も、裏面バックシート２２が透液性トップシート１１およびサイドバリヤーカフス３０の前後端部を覆うように表面側に折り返されて（この構造の詳細は図示していないが、折り返し部を図１に符号２２ａで示す。）ホットメルト接着剤により固定される結果、前後端部は紙おむつ本体１０に拘束され、製品の使用状態において、その中間部のみが自由端部となり、第２起立用弾性伸縮部材３２の収縮力に伴って製品の外側に向かって起立し、第２バリヤーカフス部Ｂ２を構成する。
【００２２】
図３の例に対して、ティシュペーパー１３Ｄが第２バリヤーカフス部Ｂ２まで延在することなく、図５に示されているように、上吸収体主体１３Ａと若干狭い面積の長方形の下吸収体主体１３Ｂとを含む変形例も提案される。
【００２３】
一方、製品を着用者に対してフィットさせ、かつ尿や便の漏れ防止するために、主に図２に明示されているように、各種の弾性伸縮部材が表面バックシート２１と裏面バックシート２２との間に介在され、両シートに対してホットメルト接着剤Ｈにより固定されている。
【００２４】
以下にこれについて詳述すると、前身頃Ｆおよび後身頃Ｂのうち少なくとも一方の身頃において、好ましくは両方の身頃において（図示例では両方の身頃）前記各種の弾性伸縮部材が設けられる。本体バックシート２０に対して横方向に沿ってたとえば糸ゴムからなる１本または複数本（図示例では合計３本）の前身頃締め付け用弾性伸縮部材４１ａおよび後身頃締め付け用弾性伸縮部材４１ｂを紙おむつ本体１０と一体的に設け、また本体バックシート２０に対して横方向に沿って、かつ、紙おむつ本体１０と一体化されていない、たとえば糸ゴムからなる１本または複数本（図６の例では合計１４本）の前身頃弾性伸縮部材４２ａおよび後身頃弾性伸縮部材４２ｂを設けてある。
【００２５】
さらに、図示例のように、後身頃締め付け用弾性伸縮部材４１ｂおよび／または後身頃弾性伸縮部材４２ｂを後身頃フィット用弾性伸縮部材として、その両端部がほぼ脚回り開口部に位置するようにし、中央部が背中側に膨らみ、かつその中央部が臀部個所に位置させることもできる。これにより、お尻の下部の丸みに沿って後身頃Ｂの開口部の上端部分を臀部より若干上の背骨領域に引き上げることができ、後身頃Ｂの吸収体主体１３を着用者に好適にフィットさせるようになる。
【００２６】
紙おむつ本体１０の不透液性バックシート１２と、前身頃弾性伸縮部材４２ａ，後身頃弾性伸縮部材４２ｂと接している表面バックシート２１とは、少なくともある１本の前身頃弾性伸縮部材４２ａおよび後身頃弾性伸縮部材４２ｂに対応する個所においては固定されておらず、不透液性バックシート１２におけるその他の個所が、表面バックシート２１とホットメルト接着剤Ｈにより固定されている。好ましくは、図１に示すように、紙おむつ本体１０は、長手方向両端部１０Ａ，１０Ｂおよび股下部１０Ｃにおいて、ホットメルト接着剤Ｈにより本体バックシート２０に固定され、股下部１０Ｃにおける紙おむつ本体１０の側部は、本体バックシート２０に固定されずに紙おむつ本体１０と本体バックシート２０とは一体化される。
【００２７】
また、前身頃Ｆの開口部および後身頃Ｂの開口部において、たとえば帯ゴムなどからなる、図示例では各４本の腰回り弾性伸縮部材４４，４５がそれぞれ設けられている。
【００２８】
一方、両脚回りを封止する１本または複数本（図示例では各３本）の脚回り弾性伸縮部材４６，４７が設けられている。これらの脚回り弾性伸縮部材４６，４７は、脚回りを封止する限り各種の態様があるが、図示例においては、脚回り弾性伸縮部材４６においては、前身頃Ｆの両側縁部間を繋ぎ股下最下部に向かって膨らみ、脚回り弾性伸縮部材４７においては、後身頃Ｂの両側縁部間を繋ぎ股下最下部に向かって膨らみ、弾性伸縮部材４６，４７の最下部が前後方向中央線Ｌ（図１参照）近傍において接近しているものである。弾性伸縮部材４６，４７の最下部は、図２の仮想線で示すように、連続するほか、その仮想線部分を切除することが可能である。また、脚回り弾性伸縮部材は、脚回りに沿って前後身頃方向に連続して沿うものであってもよい。
【００２９】
かかる構造においては、図６に示されているように、本体バックシート２０が前後方向に折り重ねられ、その側部２０Ｘ，２０Ｘ（図２参照）相互が熱溶着またはホットメルト接着剤などにより接合され、パンツ型の紙おむつが組み立てられる。
【００３０】
かかる態様においては、各弾性伸縮部材４１〜４７の一部の部材は、紙おむつ本体１０とホットメルト接着剤Ｈにより固定され一体的な構造となっているが、他の各弾性伸縮部材４１〜４７は、紙おむつ本体１０とは一体化されていないため、おむつ全体において伸縮部分が増加し、着用者に対してはかせやすい構造となり、かつ、吸収体主体１３を着用者に好適にフィットさせるようになる。
【００３１】
脚回り弾性伸縮部材４６，４７は、もとより脚回り開口部を封止してフィット性を高める。腰回り弾性伸縮部材４４，４５は、腰回りからの尿や便の漏れを防止する。
【００３２】
図７は第２の例を示したもので、第１の例における弾性伸縮部材の配設位置および形状を変化させたものである。
【００３３】
各種の弾性伸縮部材の各態様は、着用者の年齢、および購入者の目的とする機能の選択によって提供される。
【００３４】
実施例におけるバリヤーカフスは、第１バリヤーカフス部Ｂ１と第２バリヤーカフスＢ２とが形成される構造である。この構造においては、尿または特に軟便で第１バリヤーカフス部Ｂ１を越えたとしても、第２バリヤーカフスＢ２で封止する機能がある。
【００３５】
実施例１に係る紙おむつにおいては、本体バックシート２０が弾性伸縮性を示す。したがって、おむつを装着させたとき、着用者に対して本体バックシート２０の全体が締め付けるようになり、これに伴って着用者の動きが活発であったとしても、吸収体主体１３が肌から離れることなく、常時フィットするようになる。
【００３６】
バリヤーカフスとして、ほぼ全体を折り返し二重シートとしたが、起立部は一重シートであってもよい。起立用弾性伸縮部材の本数などは適宜である。また、バリヤーカフスは省略することも可能である。
【００３７】
【発明の効果】
以上のとおり、本発明によれば、伸縮性を向上させることができ、着用者の体形に対するフィット性を向上させ、かつ着用者に対するはかせやすさを向上させることが可能となる。
【００３８】
また、各請求項においては、次記のように特有の効果を奏する。
（１）請求項１
前身頃および後身頃のうち少なくとも一方の身頃において、本体バックシートに対して横方向に沿って１本または複数本の締め付け用弾性伸縮部材を一体的に設け、その締め付け用弾性伸縮部材の少なくとも１本は、紙おむつ本体と一体化されていないものであるために、その締め付け用弾性伸縮部材は、半剛性の吸収体に規制されることなく（吸収体と離間して）、本体バックシートを収縮させる。したがって、本体バックシートの収縮代が紙おむつの幅方向全体にわたり、収縮代が大きくなり、好適に着用者に対してフィットさせることができる。また、これによって腹回りをしっかり固定でき、ずれを確実に防止できる。さらに、未着用時において、ギャザーが腹回り全体にわたって形成されるので、消費者に対してはかせ易い印象をアピールできる。
【００３９】
（２）請求項２
紙おむつ本体は、本体バックシートに固定する必要があり、その際たとえば、紙おむつ本体の長手方向前後端部のみを本体バックシートに固定することも考えられる。しかし、装着状態を考えると、紙おむつ本体における、動きの激しい脚回り部分に相当する股下部分が本体バックシートに対してフリーであると、紙おむつ本体の股下部分が過度に自由に動き、脚回り部分においての漏れが生じる可能性が大きい。
【００４０】
そこで、請求項２記載の発明に従って、紙おむつ本体を、その長手方向両端部とこれと離間する股下部において本体バックシートに固定すれば、紙おむつ本体が過度に自由に動き、脚回り部分において漏れが生じることを防止できる。
【００４１】
この場合、前記紙おむつ本体と一体化されていない締め付け用弾性伸縮部材の少なくとも１本については、前記離間部に位置させれば、請求項１記載の効果を奏するものとなる。
【００４２】
（３）請求項３
前記紙おむつ本体と一体化されていない前記締め付け用弾性伸縮部材の少なくとも１本が前身頃にあり、その少なくとも１本が、中央部が股下側に膨らむ形状で前記本体バックシートと一体化されていると、腹回りをへそ側にアップさせる形態となり、漏れ防止効果が高いとともに、ずれ落ちをより確実に防止できる。
【図面の簡単な説明】
【図１】
第１の実施例における製品の展開図である。
【図２】
吸収要素との関係を示した展開図である。
【図３】
図１における４−４線矢視図である。
【図４】
図１における５−５線矢視図である。
【図５】
別の態様における図１における４−４線矢視相当図である。
【図６】
本発明に係るパンツ型紙おむつの製品状態斜視図である。
【図７】
第２の実施例における製品の展開図である。
【図８】
従来のパンツ型紙おむつの展開図である。
【符号の説明】
１０…紙おむつ本体、１１…透液性トップシート、１２…不透液性バックシート、１３…吸収体主体、２０…本体バックシート、２１…表面バックシート、２２裏面バックシート、３０…サイドバリヤーカフス、３１…第１起立用弾性伸縮部材、３２…第２起立用弾性伸縮部材、４１ａ…前身頃締め付け用弾性伸縮部材、４１ｂ…後身頃締め付け用弾性伸縮部材、４２ａ…前身頃弾性伸縮部材、４２ｂ…後身頃弾性伸縮部材、４４，４５…腰回り弾性伸縮部材、４６，４７…脚回り弾性伸縮部材、Ｆ…前身頃、Ｂ…後身頃、Ｈ…ホットメルト接着剤。